(57)【要約】      （修正有）【課題】任意の物や位置に随意に設置し、かつ、光ディスクを随意に固定でき、光ディスクを任意の場所または位置に随意に固定でき、収納の便利さ、美観及びデザイン布景の効果を達成できるような、光ディスクを固定するためのホルダーを提供する。【解決手段】本考案に係る光ディスクを固定するためのホルダー１は、皿台座２及び押付ユニット４を含む。該皿台座２は底部２０及び該底部２０に接続した複数の弾性アーム２２を有し、各弾性アーム２２は、該延出面２００から外面側へ突出し、これらの弾性アーム２２は、該皿台座２の中心を廻って配列する。該底部２０にはあらゆるものや位置に随意に貼り付けるための貼付面２０２を設ける。該押付ユニット４は該皿台座２の中央に設けられ、これらの弾性アーム２２は突出し該押付ユニット４に接続され、該押付ユニット４は該光ディスクを挟持するグリップ４０部を備えている。【選択図】図３
0003138680.tif 000002
【実用新案登録請求の範囲】
【請求項１】
底部と、複数の弾性アームとを有し、前記底部は延出面及び該延出面の反対側の面である貼付面を備え、各弾性アームは、前記延出面から外面側へ突出し、これら弾性アームは、中心を廻って互いに間隔を隔てて配列され、前記貼付面に固定部材を設けている皿台座と、
前記皿台座の中心に設けられ、光ディスクを挟持するグリップ部を備えた押付ユニットとを含み、
前記弾性アームは前記押付ユニットに接続されていることを特徴とする光ディスクを固定するためのホルダー。
【請求項２】
前記固定部材が両面テープまたは吸盤であり、前記貼付面が前記両面テープまたは吸盤によって任意の物体の任意の位置に固定可能なものであることを特徴とする請求項１記載の光ディスクを固定するためのホルダー。
【請求項３】
前記弾性アームの、前記押付ユニットに接続する箇所に光ディスク収納面を形成し、前記光ディスク収納面と前記底部とが互いに平行になるように形成して光ディスクを保持できるように構成されており、前記グリップ部は複数のグリップ素子を有し、各グリップ素子が各弾性アームに形成され、前記皿台座と押えユニットとは一体成形されていることを特徴とする請求項１記載の光ディスクを固定するためのホルダー。
【請求項４】
前記押付ユニットは、さらに前記皿台座の中心に設けられた押し付け部を含み、押し付け部が押し付けられることにより前記弾性アームと前記グリップ部を内側へ連動して、光ディスクを前記押付ユニットから離脱させ或いは固定するように構成したことを特徴とする請求項１記載の光ディスクを固定するためのホルダー。
【請求項５】
前記押し付け部は、前記皿台座に形成された押し付け孔と、前記押し付け孔に分離可能に設置された押し付け素子を有することを特徴とする請求項４記載の光ディスクを固定するためのホルダー。
【考案の詳細な説明】
【技術分野】
【０００１】
本考案は、ホルダーに係り、特に、任意の場所や位置に光ディスクを固定できるホルダーを指すものである。使用者は、任意の場所に光ディスクを随意、固定的に貼り付けることができ、取り扱い易く且つ外観美化の機能も兼備する。
【背景技術】
【０００２】
現代のメモリ格納装置の急速な発展、及び消費者の使用習慣上の急速な変化に伴い、現在、ＣＤ、ＤＶＤ等に関わる光ディスクの使用は、人々に普遍に受け入れられるようになった。そのうち、光ディスクは主にプラスチック材質で構成されるため、光ディスクの表面は、充分に保護されていないと外部から傷つけられ易くなる。光ディスクの表面を完全に保護するため、一般に光ディスク収納ケースに光ディスクを収納し、光ディスクが傷つけられることを避けるようにしている。
【０００３】
図１及び図２は、従来の光ディスク収納ケースを示す斜視図及び断面図である。該光ディスク収納ケース１ａは、台座１０ａ及び突起部１１ａを含む。該突起部１１ａは、該台座１０ａの中央に形成された複数の放射状の小突起１１０ａで構成され、光ディスク１２ａが台座１０ａの突起部１１ａに置かれる時に、光ディスク１２ａの円孔１２０ａを突起部１１ａの周縁に当接することによって光ディスク１２ａを収納できる。
【０００４】
しかしながら、上記突起部１１ａは、細かい部品により該光ディスク１２ａを固定していないため、光ディスク１２ａが脱落され易く固定し難くなり、かつ、台座１０ａとの締め付け効果が悪いため、該光ディスク１２ａが傷つけられ易くなる。
【０００５】
そのため、本考案者は、前記欠点を改良するため、長年この分野で積み重ねた経験により、鋭意観察と研究をし、さらに学術理論の運用に合わせ、遂に合理的な設計と前記の欠点の有効な改良とを為して本考案を提案した。
【考案の開示】
【考案が解決しようとする課題】
【０００６】
本考案の主な目的は、皿台座の設計をし、さらに該皿台座上には押付部及び該押付部に接続する複数の弾性アームを形成し、かつ各弾性アームを該皿台座の底部から突出させ、押付部に接続する箇所に平面を形成し、これらの平面にて光ディスクを保持するための光ディスク収納面を構成し、該押付ユニットのグリップ部によって、該光ディスクを該光ディスク収納面に係合かつ固定し、それとともに、該皿台座の底部に貼付面を設け、該皿台座を任意の物や位置に固定できるような、光ディスクを固定するためのホルダーを提供することにある。
【０００７】
使用者が該皿台座を任意の物（例えば、壁やガラスまたはテーブル表面）に随意に取り付ける方式を提供することによって、弾性アーム及び押付部からのグリップ作用で、光ディスクを任意の場所または位置に随意に固定できるようになり、収納の便利、設計美化、造型布景の機能を達成できるとともに、固定した光ディスクが傷つけられる可能性を有効に低下させ、避けることができる。
【課題を解決するための手段】
【０００８】
前記目的を達成するため、本考案は、皿台座及び押付ユニットを含む光ディスクを固定するためのホルダーを提供した。該皿台座は底部及び複数の弾性アームを有し、該底部は延出面及び該延出面とは反対側の面である貼付面を備える。各弾性アームは、該延出面から外面側へ突出し、これらの弾性アームは、該皿台座の中心を廻って配列しかつ互いに間隔を隔てて配列される。該貼付面には、あらゆるものや位置に固定される固定部材を設け、該押付ユニットは該皿台座の中央に設けられ、これらの弾性アームは該押付ユニットに接続され、該押付ユニットは該光ディスクを挟持するグリップ部を備えている。
【０００９】
よって、押付ユニットが押し付けられると、これらの弾性アーム及びグリップ部が内側へ連動して、光ディスクを該押付ユニットから離脱或いは固定し、かつ、該貼付面によって該皿台座を任意の物または位置に随意に固定できる。
【００１０】
前記本考案構造の設計によって、該光ディスクは、光ディスクを固定するためのホルダーで、任意の場所または位置に随意に固定できるようになり、収納が便利になり、設計美化、造型布景の機能を達成できるとともに、固定した光ディスクが傷つけられる可能性を有効に低下させ、避けることができる。
【００１１】
本考案が所定の目的を達成するために採用する技術、手段及びその効果をさらに詳細且つ具体的に説明するために、以下に本考案に関わる詳しい説明及び添付図面を参照することにより、深く且つ具体的な理解を得られるが、それらの添付図面は参考及び説明のみに使われるものであり、本考案の主張範囲を狭義的に限定するものではないことは言うまでもないことである。
【考案を実施するための最良の形態】
【００１２】
図３〜図５は、本考案に係る光ディスクを固定するためのホルダーの第１実施例の斜視図、平面図及び正面図である。図に示すように、光ディスクを固定するためのホルダー１は、皿台座２及び押付ユニット４を含む。そのうち、該皿台座２及び押付ユニット４は一体成形の構造であっても良く、両者はともに可塑性材質からなるため、該皿台座２及び押付ユニット４が弾性復元力を有する。
【００１３】
該皿台座２は、コンパクトな円形の皿台座２、方形の皿台座２または多辺形の皿台座２などの幾何形状を有する皿台座２であって、使用者が携帯し易いように設けられる。本実施例では、該皿台座２は円形の皿台座２である。該皿台座２は底部２０及び複数の弾性アーム２２を有し、該底部２０は延出面２００及び該延出面２００とは反対側の面である貼付面２０２を備え、該貼付面２０２には、任意の物または位置に固定するための固定部材２０４を設け、該貼付面２０２の固定部材２０４によって、該皿台座２が任意の被貼付物（例えば、壁やガラスまたはテーブル表面などのあらゆるもの）の表面に随意に貼付できるようになる。各弾性アーム２２は、該延出面２００から外面側へ突出できる。各弾性アーム２２は、該皿台座２の中心を廻って間隔を隔て配列される。そのため、これらの弾性アーム２２は放射状に配列し、該皿台座２の中心を廻っている。本実施例では、これらの弾性アーム２２は、三角形または台形に近い形状で、かつ、これらの弾性アーム２２は互いに間隔を隔て配列される。
【００１４】
本考案において、該固定部材２０４は両面テープまたは吸盤であって、該両面テープまたは吸盤によって、該貼付面２０２が任意の物または位置に固定できる。
【００１５】
該押付ユニット４は該皿台座２の中心に設けられ、該押付ユニット４と各弾性アーム２２とは互いに接続され、該押付ユニット４が弾性アーム２２を内側に連動する動作を行える。そのうち、該押付ユニット４は、グリップ部４０及び押し付け部４１を有し、該グリップ部４０は複数のグリップ素子４００を有し、各グリップ素子４００が各弾性アーム２２に形成され、この各グリップ素子４００が該皿台座２の中心を廻る円弧状に形成されている。
【００１６】
本実施例では、これらのグリップ素子４００の数は４個であり、かつ、２個ずつのグリップ素子４００同士は互いに該皿台座２の中心を挟んで対向している。各グリップ素子４００の対応及び配列によって、光ディスク６の円心６０（図８，９参照）を挟持できるためのグリップ部４０を形成する。該押し付け部４１は該皿台座２の中心に位置され、各弾性アーム２２はそれぞれ延出して該押し付け部４１に接続され、この押し付け部４１を使用者が押し付けて収斂動作を発生するような仕組みになっている。
【００１７】
本実施例では、該押し付け部４１は円形ボタンであっても良い。しかしながら、該押し付け部４１の形状は、あらゆる幾何形状であっても良く、本考案は、該押し付け部４１の形状を限らない。
【００１８】
よって、使用者が押付ユニット４の押し付け部４１を押し付けると、光ディスク６を固定するためのホルダー１の部材の協調によって、各弾性アーム２２及び該グリップ部４０の各グリップ素子４００が内側へ連動して、光ディスク６の円心６０を押付ユニット４から離脱或いは固定できる。
【００１９】
また、各弾性アーム２２が該押付ユニット４の押し付け部４１に接続した箇所に、それぞれ平行面を形成する。各平行面と該底部２０の平面とは互いに平行であり、これらの平行面は該押し付け部４１を廻って光ディスク収納面２２０を形成する。この光ディスク収納面２２０によって、皿台座２上に光ディスク６を安定的に設置し、さらに該押付ユニット４のグリップ部４０で光ディスク６を安定的に固定する。
【００２０】
図６及び図７は、本考案に係る光ディスク６を固定するためのホルダー１の第２実施例の斜視図及び分解図である。図に示すように、本実施例が第１実施例との違いは、主に以下の点である。
【００２１】
該皿台座２は矩形皿台座で、使用者に異なる造型変換の選択肢を与える。該押し付け部４１は、押し付け孔４１０及び押し付け素子４１２を有し、該押し付け孔４１０は、該皿台座２の中心に形成し、該押し付け素子４１２は、該押し付け孔４１０に対応してかつ分離的に設置される。
【００２２】
そのうち、該押し付け素子４１２は、結合部４１２１及び該結合部４１２１に接続するヘッド部４１２２を有し、該結合部４１２１は該該押し付け孔４１０内に収納でき、ヘッド部４１２２を該皿台座２の中心に固定させる。ヘッド部４１２２の形状は、あらゆる幾何形状で、例えば、円形やハート形状、星形状あるいは球形などの類似幾何形状であり、使用者に外観上または造型上の選択選択肢を与える。
【００２３】
図８は、本考案に係る光ディスクを固定するためのホルダー１が壁に設けられた実施例を示す図であり、図９は図８のＡ部分の一部拡大した側面図である。図５と合わせて示すように、該光ディスクを固定するためのホルダー１は、該皿台座２の貼付面２０２の固定部材２０４により、壁Ｗの表面に随意に貼り付けることができ、そして、押付ユニット４のグリップ部４０と押し付け部４１の協調によって、光ディスク６の円心６０を押付ユニット４に嵌合でき、また、光ディスク６を該皿台座２の光ディスク収納面２２０に取着し、安定的に保持する効果を達成する。
【００２４】
該光ディスクを固定するためのホルダー１を壁Ｗに固定し、さらに使用者に光ディスク６の外観を飾って、あるいは光ディスク６のパターンを随意に組み合わせ、編集し易い機能を提供できるとともに、光ディスク６に関わる取り扱いやデザインを行え、美観及び実用の機能を兼備する。
【００２５】
本考案の設計によって、光ディスク６の随意に設置することができ、取り扱い性が良好となり、更に収納性が向上する等の効果、すなわち、従来のように光ディスク６を収納ケース内に内蔵する場合とは異なる他種の実用価値を発揮すると共に、外観の美観の向上や、全体デザインのレイアウトが可能となるという効果が達成できる。
【００２６】
以上のように、本考案のホルダー１は、皿台座２と押付ユニット４の一体成形により、かつ、貼付面２０２、光ディスク収納面２２０及び押付ユニット４の協調で、該光ディスクを固定するため、以下の利点がある。
【００２７】
（１）皿台座のコンパクトな設計で、使用者に携帯し易くさせ、かつ、様々な場所や位置に随意に結合できることによって、光ディスクを異なる位置に随意に置くことができる。
【００２８】
（２）押付ユニット及び光ディスク収納面を設計することで、光ディスクが該光ディスク固定構造に安定的に設置でき、光ディスクの収納や、外観美化及びあらゆる取り扱い効果を有する。
【００２９】
（３）従来の光ディスクケースが収納しかできずかつ取り扱い難いものであるのに対して、本考案は収納便利、光ディスクの外観レイアウト、及び取り扱い易いという機能を兼備する。
【００３０】
（４）押し付け部を異なる外観にし、或いはデザインのコーディネートによって、様々なデザイン変化の選択肢を使用者に提供できる。
【００３１】
以上のように、単に本考案の好ましい具体的な実施例に過ぎず、本考案の実用新案登録請求の範囲を限定するものではなく、いずれの当該分野における通常の知識を有する専門家は、本考案の分野の中で、適当に変更や修飾などを実施できるが、それらの実施が本考案の主張範囲内に包含されるべきことは言うまでもないことである。
【図面の簡単な説明】
【００３２】
【図１】従来の光ディスク収納ケースを示す斜視図である。
【図２】従来の光ディスク収納ケースを示す断面図である。
【図３】本考案に係る光ディスクを固定するためのホルダーの一実施例を示す斜視図である。
【図４】本考案に係る光ディスクを固定するためのホルダーを示す平面図である。
【図５】同上の正面図である。
【図６】同上の斜視図である。
【図７】同上の分解斜視図である。
【図８】本考案に係る光ディスクを固定するためのホルダーが壁に設けられた状態を示す斜視図である。
【図９】図８中のＡ部分を一部拡大した側面図である。
【符号の説明】
【００３３】
１ａ  光ディスク収納ケース
１０ａ  台座
１１ａ  突起部
１１０ａ  小突起
１２ａ  光ディスク
１２０ａ  円孔
１  光ディスクを固定するためのホルダー
２  皿台座
２０  底部
２００  延出面
２０２  貼付面
２０４  固定部材
２２  弾性アーム
２２０  光ディスク収納面
４  押付ユニット
４０  グリップ部
４００  グリップ素子
４１  押し付け部
４１０  押し付け孔
４１２  押し付け素子
４１２１  結合部
４１２２  ヘッド部
６  光ディスク
６０  円心
Ｗ  壁
【図１】
0003138680.tif 000003
【図２】
0003138680.tif 000004
【図３】
0003138680.tif 000005
【図４】
0003138680.tif 000006
【図５】
0003138680.tif 000007
【図６】
0003138680.tif 000008
【図７】
0003138680.tif 000009
【図８】
0003138680.tif 000010
【図９】
0003138680.tif 000011